(57)【要約】【課題】本発明の目的は、適切なルートギャップを確保し、適正な溶接品質及び引張耐力を確保することが可能な柱頭・柱脚部用の鋼製柱用プレート及びこれを備えた鋼製柱ユニットを提供することにある。【解決手段】鋼製柱Ｓの柱頭・柱脚部に設置され、建物躯体構造物に鋼製柱Ｓを取付ける際に使用される鋼製柱用プレート１に関する。  鋼製柱用プレート１は、鋼製平板状の本体部１１と、この本体部１１から外側方向へ向けて延出する少なくとも一個の突出部１２とを有して構成されており、鋼製柱Ｓの柱頭・柱脚は、突出部１２上に載置固定されるよう構成されている。【選択図】図１
2011007009.tif 000002
【特許請求の範囲】
【請求項１】
鋼製柱の柱頭・柱脚部に設置され、建物躯体構造物に鋼製柱を取付ける際に使用される鋼製柱用プレートであって、
該鋼製柱用プレートは、
鋼製平板状の本体部と、該本体部から外側方向へ向けて延出する少なくとも一個の突出部とを有して構成されており、
前記鋼製柱の柱頭・柱脚は、前記突出部上に載置固定されるよう構成されていることを特徴とする鋼製柱用プレート。
【請求項２】
前記本体部は、略矩形状の平板であり、
前記突出部は、前記本体部の４角部から各々延出していることを特徴とする請求項１に記載の鋼製柱用プレート。
【請求項３】
前記突出部は、前記本体部の４角部から、前記本体部の対角線方向に各々突出していることを特徴とする請求項２に記載の鋼製柱用プレート。
【請求項４】
前記突出部は、前記本体部の角部から延出する略矩形状の矩形部と、該矩形部から更に外側に延出する略三角形状の三角部とで構成されており、
前記三角部の頂角が前記突出部の自由端部となることを特徴とする請求項２又は請求項３に記載の鋼製柱用プレート。
【請求項５】
前記突出部の前記自由端部を結んだ矩形形状は、前記鋼製柱を建物躯体に取付ける際に、前記鋼製柱の端部と溶接されて前記建物躯体に取付けられるエンドプレートの形状と整合しているとともに、前記鋼製柱の断面輪郭とも整合していることを特徴とする請求項４に記載の鋼製柱用プレート。
【請求項６】
前記突出部の基端部は、略矩形状の本体部の角部から延出しており、
前記本体部の外周と前記突出部の自由端との距離と、前記エンドプレートの肉厚とは、同一となるように構成されていることを特徴とする請求項５に記載の鋼製柱用プレート。
【請求項７】
請求項１乃至請求項６いずれか一項に記載の鋼製柱用プレートと、
該鋼製柱用プレートが、両端部の少なくとも一方に配設された長尺状の鋼製柱と、
前記鋼製柱の端部と溶接されて建物躯体に取付けられるエンドプレートと、を備えたことを特徴とする鋼製柱ユニット。
【請求項８】
前記鋼製柱として使用される鋼材は、角形鋼管、Ｃ形鋼、溝形鋼、より選択された一の鋼材であり、
前記鋼製柱の折り曲げ部の端部が、前記突出部に載置固定されることを特徴とする請求項７に記載の鋼製柱ユニット。
【発明の詳細な説明】
【技術分野】
【０００１】
本発明は、鉄鋼系低層建築物において、構造型式分類のうちパネル形式や軸組・パネル併用形式及び同類工法に用いられる鋼製柱用プレート及びこれを備えた鋼製柱ユニットに関するものである。
【背景技術】
【０００２】
従来より、鉄鋼系低層建築物において、構造型式分類のうち「パネル形式」や「軸組・パネル併用形式」で設計計画する場合、軸組（柱・梁間に囲まれた部分）に接して壁パネル（耐力壁・非耐力壁双方含む）を配置する例が多い。
このような際、使用される鋼製柱の柱頭及び柱脚部には、他の鋼製梁材又は基礎との接合を実現するための鋼製のエンドプレートが使用される。
この鋼製のエンドプレートは、予め生産工場において、柱主材の柱頭及び柱脚に溶接接合されている（例えば、特許文献１参照）。
【０００３】
特許文献１に記載の技術においては、閉断面材の柱（角形鋼管）の端部には、梁と接合するための接合用ボルトが４隅部に配設されたエンドプレートが溶接されており、接合用ボルトを締結することによりこのエンドプレートを梁に取付けることで、エンドプレートを介して閉断面材の柱（角形鋼管）を梁と接続する。
【先行技術文献】
【特許文献】
【０００４】
【特許文献１】特開２００７−２１１４６１号公報
【発明の概要】
【発明が解決しようとする課題】
【０００５】
このような場合、鋼製柱と鋼製エンドプレートとの接合方法には、次のような方法がある。
まず、鋼製エンドプレートを鋼製柱断面の外側からすみ肉溶接を施す方法があるが、この方法では、溶接部のサイズを確保するために鋼製エンドプレートは、鋼製柱の外周よりも突出する必要がある。
つまり、鋼製柱の断面外周に囲まれた面積よりも、鋼製エンドプレートの面積が大きくなるように構成されていなければならない（この突出分が溶接代となる）。
このため、鋼製エンドプレートの端面が隣合う壁パネルと接触することになり、鋼製柱とパネルとの間に、この鋼製エンドプレートの突出分の空隙が生じることとなる。つまり、溶接代分の空隙が生じることとなる。
また、片面すみ肉溶接を行う場合には、この片面すみ肉溶接部の引張耐力は、鋼製柱自身の引張耐力よりも低下する懸念がある。
【０００６】
次に、鋼製エンドプレートを鋼製柱断面の内側からすみ肉溶接する方法があるが、この場合、鋼製柱断面が閉断面材であると、施工が不可能となる。
また、鋼製柱断面がＣ字形状（Ｃ形鋼）の場合、内側入り隅面を全面に渡ってすみ肉溶接を行うが、開放面両端側のリップ部分に溶接トーチが入り込めないため、切り欠き切断等の処置が必要となる。
このような場合、片面すみ肉溶接による引張力低下の懸念は上記（片側すみ肉溶接）と同様であり、また、リップ切り欠きによる鋼製柱断面の断面欠損による引張力低下の懸念もある。
【０００７】
更に、鋼製柱自身の端部に溶接開先加工を施し、完全溶込み溶接（突合せ溶接）を行う方法がある。
この場合、突合せ溶接の設計要件として、溶接部両側から溶接を行う（その場合、裏面溶接部初層をはつる必要がある）方法又は溶接部に裏あて金を施した上での片面溶接がある。
このうち、両面溶接とする方法は、裏はつりが困難である。
一方、裏あて金による片面溶接とする場合には、本溶接に先立ち、裏あて金を予め固定しておく必要があり、加工工程が多くなる。
また、突合せ溶接部の開先方法として、レ形開先による突合せ溶接の場合、鋼製柱の板厚が薄いため、確実な開先を施すこと（つまり寸法精度の確保）が困難である。
【０００８】
上記のように、鋼製エンドプレートを鋼製柱の端部（柱頭、柱脚）に溶接により取付けるためには、様々な問題があり、改善のための方法の提供が求められている。
【０００９】
本発明の目的は、上記各問題点を解決することにあり、適切なルートギャップを確保し、適正な溶接品質及び引張耐力を確保することが可能な柱頭・柱脚部用の鋼製柱用プレート及びこれを備えた鋼製柱ユニットに関するものである。
【課題を解決するための手段】
【００１０】
上記課題は、請求項１に係る鋼製柱用プレートによれば、鋼製柱の柱頭・柱脚部に設置され、建物躯体構造物に鋼製柱を取付ける際に使用される鋼製柱用プレートであって、該鋼製柱用プレートは、鋼製平板状の本体部と、該本体部から外側方向へ向けて延出する少なくとも一個の突出部とを有して構成されており、前記鋼製柱の柱頭・柱脚は、前記突出部上に載置固定されるよう構成されていることにより解決される。
【００１１】
このように、本発明に係る鋼製柱用プレートには、本体部から延出する突出部が形成されている。
そして、鋼製柱の柱頭・柱脚は、この突出部上に載置固定されるように構成されている。
このため、鋼製柱の柱頭・柱脚の端辺の下部に、鋼製柱用プレートの厚み分の空隙ができる。
【００１２】
よって、この鋼製柱用プレートをエンドプレート等に積層すると、鋼製柱の柱頭・柱脚の端辺と、エンドプレート等の積層面との間に間隙が生じ、この間隙が鋼製柱の柱頭・柱脚の溶接時のルートギャップとして機能する。
つまり、この鋼製柱用プレートの厚さを必要なルートギャップのサイズに設定して設置することにより、鋼製柱用プレートを設置するのみで簡易にルートギャップを確保し、適切な溶接を行うことができる。
【００１３】
また、請求項１に記載の発明において、前記本体部は、略矩形状の平板であり、前記突出部は、前記本体部の４角部から各々延出しているように構成されていると好適である。
更に、具体的には、このとき、前記突出部は、前記本体部の４角部から、前記本体部の対角線方向に各々突出していると好適である。
また、より具体的には、前記突出部は、前記本体部の角部から延出する略矩形状の矩形部と、該矩形部から更に外側に延出する略三角形状の三角部とで構成されており、前記三角部の頂角が前記突出部の自由端部となるよう構成されていると好適である。
【００１４】
このように構成されているため、鋼製柱用プレートの４隅部で鋼製柱の柱頭・柱脚を支持することができるとともに、鋼製柱の柱頭・柱脚の端辺下部に空隙をつくりルートギャップとすることができる。
よって、適正な溶接を行うことができる。
【００１５】
例えば、鋼製柱を、角形鋼管、Ｃ形鋼、溝形鋼として構成した場合、これらの断面形状と、突出部の端部を結んでできる略矩形形状とを整合させるよう構成すれば、鋼製柱の折り曲げ部端部を突出部で支持することができる。
つまり、溶接を行うルートギャップをこの折り曲げ部を避けて設定することができるため、この折り曲げ部を避けて溶接を行うことにより、塑性硬化部分の溶接回避が可能となり、鋼製柱の材料品質を維持することができる。
【００１６】
更に、前記突出部の前記自由端部を結んだ矩形形状は、前記鋼製柱を建物躯体に取付ける際に、前記鋼製柱の端部と溶接されて前記建物躯体に取付けられるエンドプレートの形状と整合しているとともに、前記鋼製柱の断面輪郭とも整合していると好適である。
【００１７】
よって、鋼製柱の柱頭・柱脚を、その断面形状と、突出部の自由端部を結んだ矩形形状とが整合するように配設するとともに、エンドプレートを、突出部の自由端部を結んだ矩形形状と整合するように配設することにより、側面部分が凹凸なく一平面上に納まることになる。
また、前述のとおり、鋼製柱の柱頭・柱脚端辺とエンドプレートとの間には、溶接用のルートギャップが形成される。
このため、鋼製柱と、この鋼製柱に隣接するパネルとの間の間隙を無くし、確実に溶接を行うことができる。
【００１８】
更に、前記突出部の基端部は、略矩形状の本体部の角部から延出しており、前記本体部の外周と前記突出部の自由端との距離と、前記エンドプレートの肉厚とは、同一となるように構成されていることにより、適切に溶接を行うことができる。
【００１９】
更に、本発明に係る鋼製柱ユニットは、請求項１乃至請求項６いずれか一項に記載の鋼製柱用プレートと、該鋼製柱用プレートが、両端部の少なくとも一方に配設された長尺状の鋼製柱と、前記鋼製柱の端部と溶接されて建物躯体に取付けられるエンドプレートとが備えられている。
【００２０】
また、このとき、前記鋼製柱として使用される鋼材は、角形鋼管、Ｃ形鋼、溝形鋼、より選択された一の鋼材であり、前記鋼製柱の折り曲げ部の端部が、前記突出部に載置固定されるよう構成されているため、折り曲げ部を避けてルートギャップを設定することができる。
【発明の効果】
【００２１】
本発明によれば、鋼製柱用プレートには、本体部から延出する突出部が形成されており、鋼製柱の柱頭・柱脚は、この突出部上に載置固定されるように構成されている。
このため、鋼製柱の柱頭・柱脚の端辺の下部に、鋼製柱用プレートの厚み分の空隙ができる。
よって、この鋼製柱用プレートをエンドプレートに積層すると、鋼製柱の柱頭・柱脚の端辺と、エンドプレートの積層面との間に間隙が生じ、この間隙が鋼製柱の柱頭・柱脚の溶接時のルートギャップとして機能する。
つまり、この鋼製柱用プレートの厚さを、必要なルートギャップのサイズに設定して設置することにより、鋼製柱用プレートを設置するのみで簡易にルートギャップを確保し、適切な溶接を行うことができる。
【００２２】
また、具体的には、この突出部は、矩形状に形成された本体部の４角部から、本体部の対角線方向に各々突出しており、形状は、本体部の角部から延出する略矩形状の矩形部と、この矩形部から更に外側に延出する略三角形状の三角部とで構成されている（この三角部の頂角が突出部の自由端部となる）。
よって、鋼製柱用プレートの４隅部で鋼製柱の柱頭・柱脚を支持することができるとともに、４辺部下部に空隙をつくりルートギャップとすることができる。
例えば、鋼製柱を、角形鋼管、Ｃ形鋼、溝形鋼として構成した場合、これらの断面形状と、突出部の端部を結んでできる略矩形形状を整合させれば、鋼製柱の折り曲げ部端部を突出部で支持することができる。
つまり、溶接を行うルートギャップをこの折り曲げ部を避けて設定することができる（つまり、この折り曲げ部の溶接を避けることができ、塑性硬化部分の溶接回避が可能となり、鋼製柱の材料品質を維持することができる。）。
【００２３】
また、突出部の自由端部を結んだ矩形形状は、エンドプレートの形状と整合しているとともに、鋼製柱の断面輪郭とも整合するように構成される。
このため、鋼製柱の柱頭・柱脚を、その断面形状と、突出部の自由端部を結んだ矩形形状とが整合するように配設するとともに、エンドプレートを、突出部の自由端部を結んだ矩形形状と整合するように配設すると、側面部分が凹凸なく一平面上に納まることになる。
また、前述のとおり、鋼製柱の柱頭・柱脚端辺とエンドプレートとの間には、溶接用のルートギャップが形成される。
このため、鋼製柱と、この鋼製柱に隣接するパネルとの間の間隙を無くし、確実に溶接を行うことができる。
なお、本発明に係る鋼製柱用プレートは、溶接時の裏あて金の役割もまた果たすことができる。
以上のように、本発明によれば、適切なルートギャップを確保し、適正な溶接品質及び引張耐力を確保することができる。
【図面の簡単な説明】
【００２４】
【図１】本発明の一実施形態に係るスペーサを示す平面図及び側面図である。
【図２】本発明の一実施形態に係るスペーサの製造方法を示す説明図である。
【図３】本発明の一実施形態に係る柱主材の組付け図である。
【図４】本発明の一実施形態に係るルートギャップ形成空間を示す平面図である。
【図５】本発明の一実施形態に係るスペーサとエンドプレートの配設位置を示す平面図である。
【図６】本発明の一実施形態に係る柱主材組立状態（溶接前）を示す斜視図である。
【図７】図６のＡ方向矢視図である。
【図８】本発明の一実施形態に係るエンドプレートの肉厚とルートギャップ奥行の関係を示す説明図である。
【発明を実施するための形態】
【００２５】
以下、本発明の一実施形態を図面に基づいて説明する。
なお、以下に説明する構成は本発明を限定するものでなく、本発明の趣旨の範囲内で種々改変することができるものである。
本実施形態は、適切なルートギャップを確保し、適正な溶接品質及び引張耐力を確保することができる柱頭・柱脚部用の鋼製プレート及びこれを備えた鋼製柱ユニットに関するものである。
【００２６】
図１乃至図８は、本発明に係る一実施形態を示すものであり、図１はスペーサを示す平面図及び側面図、図２はスペーサの製造方法を示す説明図、図３は柱主材の組付け図、図４はルートギャップ形成空間を示す平面図、図５はスペーサとエンドプレートの配設位置を示す平面図、図６は柱主材組立状態（溶接前）を示す斜視図、図７は図６のＡ方向矢視図、図８はエンドプレートの肉厚とルートギャップ奥行の関係を示す説明図である。
【００２７】
まず、図１及び図２により、本実施形態に係るスペーサ１の構造を説明する。
このスペーサ１は、「鋼製柱用プレート」に相当する。
また、柱主材Ｓ（「鋼製柱」に相当）、スペーサ１、エンドプレートＴで、「鋼製柱ユニット」を構成する。
本実施形態に係るスペーサ１は、本体部１１、４個の突出部１２を有して構成されている。
本体部１１は、略矩形平板であり、本実施形態においては、その中央から若干短辺方向にずれた位置には、本体部孔１１ａが形成されている。
なお、この本体部孔１１ａの位置は、これに限られることはなく、設計に応じて位置は適宜変更される。
【００２８】
また、本体部１１の４隅からは、突出部１２が各々延設されている。
この突出部１２は、外側自由端部が鋭利（約９０度の角度）に形成された略５角形状の部分である。
換言すれば、突出部１２は、本体部１１の角部から、本体部１１の対角線方向に延出した矩形部１２ａと、その先端側に頂角を向けるように延出した略直角二等辺三角形状の三角部１２ｂで構成されている（つまり、三角部１２ｂの頂角部分が、突出部１２の自由端となる）。
【００２９】
なお、図２に示すように、このスペーサ１は、一枚の鋼製略矩形平板Ｈから打ち抜き加工、溶断又は切削（切断）加工を行うことにより形成されている。
鋼製の矩形平板Ｈの４辺から、略台形状の台形片Ｇ´を打ち抜き（溶断又は切削（切断）加工）、スペーサ１の外形が形成される。
また、本体部１１の中央又は中央から若干短辺方向にずれた位置から、円形片１１ａ´を打ち抜き（溶断又は切削（切断）加工）、本体部孔１１ａが形成される。
この本体部孔１１ａは、エンドプレートＴに予めボルト又はナットを仕込んでおく際に、このボルト又はナットと本体部１１が接触することを回避するために形成された孔である。また、副次的に、エンドプレートＴとスペーサ１を一体として構成する場合には、プラグ溶接により締結するための孔としても機能する。
よって、この本体部孔１１ａの径は、エンドプレートＴに仕込まれるボルトの頭部径又はナット径よりも大きく設定されている。
なお、この台形片Ｇ´を打ち抜いた後に形成される、隣接する突出部１２，１２間に形成される空間を、「ルートギャップ形成空間Ｇ」と記す。
【００３０】
次いで、図３及び図４により、本実施形態に係るスペーサ１の使用方法を説明する。
本実施形態においては、柱主材ＳとしてＣ形鋼が使用されている。
また、エンドプレートＴは、略矩形状平板であり、本実施形態においては、その中央又は中央から若干短辺方向にずれた位置には、エンドプレート孔Ｔ１が形成されている。
なお、このエンドプレート孔Ｔ１の位置は、これに限られることはなく、設計に応じて位置は適宜変更される。
【００３１】
なお、エンドプレートＴは、スペーサ１を構成する突出部１２の先端部分ｕ（つまり、三角部１２ｂの頂角部）を結んだ直線により形成される略矩形（図４の仮想線輪郭Ｕ）とほぼ同一形状となるように構成されており、スペーサ１の仮想線輪郭Ｕと形状が整合するように積層されたときに、本体部孔１１ａと連通する位置にエンドプレート孔Ｔ１が形成されている（図５参照）。
【００３２】
以上、図３に示すように、エンドプレートＴの上面には、スペーサ１が、両者の形状（エンドプレートＴとスペーサ１の仮想線輪郭Ｕ）が整合するとともに、本体部孔１１ａとエンドプレート孔Ｔ１とが連通するように積層される(図５参照)。
また、図３に示すように、柱主材Ｓは、その下端部の断面４隅が、スペーサ１に形成された４個の突出部１２上に配設されるように載置され、このとき、柱主材Ｓの断面形状は、エンドプレートＴ及びスペーサ１の仮想線輪郭Ｕと整合するように構成されている。
このため、側面部分は凹凸無く同一平面上に納まり、柱主材Ｓと、この柱主材Ｓに隣接するパネルとの間の間隙を無くすことができる。
【００３３】
このように、エンドプレートＴ、スペーサ１、柱主材Ｓが組み立てられ、「鋼製柱ユニット」が形成された様子を図６に示す。
図６に示すように、柱主材Ｓは、スペーサ１を挟持した状態で（つまり、スペーサ１を介した状態で）、エンドプレートＴに取付けられる。
【００３４】
このように構成されているため、柱主材Ｓの下端辺Ｓ１とエンドプレートＴの上面との間には、スペーサ１の厚み分のルートギャップＲが形成される。
図７は、図６のＡ矢視図である。
図７にルートギャップＲ部分を網掛けにより示した。
この網掛け部が示すように、柱主材Ｓの下端辺Ｓ１とエンドプレートＴの上面との間に、スペーサ１の厚みと同一の空間が形成され、これが、溶接の際のルートギャップＲとして機能することになる。
【００３５】
つまり、スペーサ１には、前述のとおり、隣接する突出部１２，１２間にルートギャップ形成空間Ｇが形成されているため、この突出部１２，１２上に略直線に切断されている柱主材Ｓの下端辺Ｓ１が載置されると、この下端辺Ｓ１とエンドプレートＴの上面（スペーサ１及び柱主材Ｓが配設されている側の面）との間に空間が形成されることとなる。
これがルートギャップＲとなる。
【００３６】
ルートギャップＲとは、母材の端面間への溶接による溶着金属の溶け込みを良くするための空隙であり、このルートギャップＲを設定することにより、良好な溶接品質が確保できる。
【００３７】
このように、本実施形態に係るスペーサ１を利用すると、適切な溶接用ルートギャップＲをとることができる。
【００３８】
更に、このエンドプレートＴと柱主材Ｓの下端辺との溶接に際して、スペーサ１は、裏あて金の機能もまた果たすことができる。
つまり、前述の通り、隣接する突出部１２，１２間にルートギャップＲが形成されるとともに、本実施形態においては、図８に示すように、柱主材Ｓの肉厚ｐと、ルートギャップ形成空間Ｇの奥行ｑとが同じサイズとなるように構成されている。
【００３９】
つまり、肉厚ｐ＝奥行ｑとなるように構成されている。
このように構成されているため、スペーサ１の小口面１３（突出部１２，１２間の側面：図３参照）が、裏あて金の役割を果たし、健全なルートギャップＲ部分の溶け込みを得るための機能を示す。
【００４０】
また、本実施形態においては、ルートギャップＲが形成されている部分を溶接する。
つまり、柱主材Ｓ下端辺の直線部分を溶接することとなる。
換言すれば、スペーサ１の突出部１２に載置されている部分、つまり柱主材Ｓの曲げ加工部（角部）は溶接されない。
このため、曲げ加工がなされた塑性硬化部分の角部の溶接を回避することができ、鋼製柱の材料品質を維持することが可能となる。
【００４１】
更に、本実施形態においては、エンドプレートＴとスペーサ１を積層して柱主材Ｓに連結する。
このため、柱主材Ｓに生じる引張力発生時のエンドプレートＴ（スペーサ１）面外側方向への剛性が向上し、耐力壁の性能向上効果を期待できる。
【００４２】
なお、エンドプレートＴに予めナット又はボルトを締結させた上で、柱主材ＳとエンドプレートＴを接合する場合には、スペーサ１の本体部孔１１ａはボルト孔等よりも大きい孔加工を施すとよい。
【００４３】
以上のように、本実施形態に係るスペーサ１によれば、適切なルートギャップＲを確保することができるとともに、塑性硬化した柱主材Ｓの曲げ加工部への溶接を回避することができる。
また、スペーサ１の小口面１３（突出部１２，１２間の側面）は、裏あて金の役割を果たすため、溶接において健全なルートギャップＲ部分の溶け込みを得ることができる。
このように、本実施形態に係るスペーサ１によれば、一枚のスペーサ１のみで、溶接の各要件（ルートギャップＲの形成、裏あて金効果）を充足することができ、コストの削減と標準化に寄与することができる。
更に、鋼製柱ユニットの側面の凹凸を無くして同一平面とすることにより（つまり、柱主材Ｓの断面形状、スペーサ１の仮想線輪郭Ｕ、エンドプレートＴが同一形状）、柱主材Ｓと、この柱主材Ｓに隣接するパネルとの間の間隙を無くすことができる。
なお、スペーサ１の周部を折り曲げたり、スペーサ１の周部に突縁を形成したりすることにより、ガイド部を形成し、ズレを防止するように構成されていてもよい。
【符号の説明】
【００４４】
１  スペーサ
１１  本体部
１１ａ  本体部孔
１１ａ´  円形片
１２  突出部
１２ａ  矩形部
１２ｂ  三角部
１３  小口面
Ｇ  ルートギャップ形成空間
Ｇ´  台形片
Ｈ  矩形平板
Ｒ  ルートギャップ
Ｓ  柱主材
Ｓ１  下端辺
Ｔ  エンドプレート
Ｔ１  エンドプレート孔
Ｕ  仮想線輪郭
ｕ  先端部分
【図１】
2011007009.tif 000003
【図２】
2011007009.tif 000004
【図３】
2011007009.tif 000005
【図４】
2011007009.tif 000006
【図５】
2011007009.tif 000007
【図６】
2011007009.tif 000008
【図７】
2011007009.tif 000009
【図８】
2011007009.tif 000010